(57)【要約】【課題】  本発明は、軽量の発泡合成樹脂からなるブロック本体に仕上げ材を具備させて建築物の内外壁を仕上げることによって、資材コストを低減させるだけではなくブロック施工工程を単純化し、既存の住宅よりエネルギー消費を８０〜９０％低減させることができる建築用軽量断熱ブロック及びその施工方法に関する。【解決手段】  本発明による建築用軽量断熱ブロックは、建築物の内外部壁体に積層させて施工する断熱ブロックにおいて、断熱ブロックは発泡合成樹脂からなり、積層時に隙間が発生しないようにその上面に結合突起が形成され、その下面に結合突起と対応する結合溝が形成され、前面及び背面に突出部と凹溝部とが形成されることを特徴とする。【選択図】図１
2010528203.tif 000002
【特許請求の範囲】
【請求項１】
建築物の内外部壁体に積層させて施工する断熱ブロックにおいて、前記断熱ブロック１は発泡合成樹脂からなり、積層時に隙間が発生しないようにその上面に結合突起１１が形成され、その下面に前記結合突起１１と対応する結合溝１２が形成され、前面及び背面に突出部１３と凹溝部１４とが形成されることを特徴とする建築用軽量断熱ブロック。
【請求項２】
前記断熱ブロック１の一側には、前記断熱ブロック１と同じ形状で形成されるが、一側面上部の一部を’Ｌ’状に切断し、前記切断された部材の上部に円形の嵌合突起１５が形成された補助ブロック６を互いに連結させることを特徴とする請求項１に記載の建築用軽量断熱ブロック。
【請求項３】
前記断熱ブロック１の中央上部に切断溝部１７を形成し、前記切断された部材の上部に円形の嵌合突起１５が形成されることを特徴とする請求項１に記載の建築用軽量断熱ブロック。
【請求項４】
前記嵌合突起１５が形成された断熱ブロック１には、その上面に一端が折り曲げられて延びる結合突起１１が形成され、その下面に結合溝１２が形成され、その前面及び背面に突出部１３と凹溝部１４とが形成され、下部の一部を’┐’状に切断し、前記切断された部材の上部に円形の嵌合溝１６が形成された交差ブロック７を、長手方向または直角に互いに連結させることを特徴とする請求項３に記載の建築用軽量断熱ブロック。
【請求項５】
前記ブロックの底面の下部一側に垂直方向に垂直結合溝１８を形成して、ブロックの結合突起１１が挟まれて結合されることを特徴とする請求項２または３に記載の建築用軽量断熱ブロック。
【請求項６】
前記ブロックの前面及び背面に形成された突出部１３は、外側へ行くほど広くなって、その両側面に充填空間が形成されるようにクサビ状に形成されたことを特徴とする請求項１ないし４のうちいずれか１項に記載の建築用軽量断熱ブロック。
【請求項７】
前記ブロックの前面及び背面に形成された突出部１３及び凹溝部１４が格子状に形成されたことを特徴とする請求項１ないし４のうちいずれか１項に記載の建築用軽量断熱ブロック。
【請求項８】
前記断熱ブロック１の結合突起１１の上部に、横方向に接着剤が充填される接着剤充填溝１１１が形成されたことを特徴とする請求項１に記載の建築用軽量断熱ブロック。
【請求項９】
前記断熱ブロック１の内部に耐力を増進させるために、ワイヤーメッシュを挿入して一体成形することを特徴とする請求項１に記載の建築用軽量断熱ブロック。
【請求項１０】
前記断熱ブロック１の前面板及び背面板の角に横方向に充填溝１９が形成されたことを特徴とする請求項１に記載の建築用軽量断熱ブロック。
【請求項１１】
建築物の内外部壁体に積層させて施工するものであって、複数の積層時に隙間が発生しないようにその上面に結合突起１１が形成され、かつ下面に前記結合突起１１と対応する結合溝１２が形成される断熱ブロック１において、
前記断熱ブロック１の前面及び背面に、断熱ブロック１の収容部２の終端で２段に折り曲げられて形成される２段溝部３がそれぞれ形成され、
前記２段溝部３で内側方向に位置した内側溝部３１には、石膏ボード、岩綿、ガラス綿マットのうち一つで構成される耐熱板材４が挿入され、前記２段溝部３の外側方向に位置し、その一側に充填溝３２１が形成された外側溝部３２には、石材、鋼繊維補強コンクリート、ドライビット、ＰＶＣ、金属のうち一つで構成される仕上げ板材５が挿入されることを特徴とする建築用軽量断熱ブロック。
【請求項１２】
建築物の内外部壁体に積層させて施工する断熱ブロック１において、
前記断熱ブロック１は発泡合成樹脂からなり、積層時に隙間が発生しないようにその上面に結合突起１１が形成され、その下面に前記結合突起１１と対応する結合溝１２が形成され、
一側面上部の一部を’Ｌ’状に切断し、前記切断された部材の上部に円形の嵌合突起１５が形成され、
前記断熱ブロック１の前面及び背面に、断熱ブロック１の収容部２の終端で２段に折り曲げられて形成される２段溝部３がそれぞれ形成され、前記２段溝部３で内側方向に位置した内側溝部３１には、石膏ボード、岩綿、ガラス綿マットのうち一つで構成される耐熱板材４が挿入され、前記２段溝部３の外側方向に位置し、かつ一側に充填溝３２１が形成された外側溝部３２には、石材、鋼繊維補強コンクリート、ドライビット、ＰＶＣ、金属のうち一つで構成される仕上げ板材５が挿入されることを特徴とする建築用軽量断熱ブロック。
【請求項１３】
建築物の内外部壁体に積層させて施工する断熱ブロック１において、
前記断熱ブロック１は発泡合成樹脂からなり、積層時に隙間が発生しないようにその上面に結合突起１１が形成され、その下面に前記結合突起１１と対応する結合溝１２が形成され、
前記断熱ブロック１の中央上部に切断溝部１７を形成し、前記切断された部材の上部に円形の嵌合突起１５が形成され、
前記断熱ブロック１の前面及び背面に、断熱ブロック１の収容部２の終端で２段に折り曲げられて形成される２段溝部３がそれぞれ形成され、前記２段溝部３で内側方向に位置した内側溝部３１には、石膏ボード、岩綿、ガラス綿マットのうち一つで構成される耐熱板材４が挿入され、前記２段溝部３の外側方向に位置し、かつ一側に充填溝３２１が形成された外側溝部３２には、石材、鋼繊維補強コンクリート、ドライビット、ＰＶＣ、金属のうち一つで構成される仕上げ板材５が挿入されることを特徴とする建築用軽量断熱ブロック。
【請求項１４】
建築物の内外部壁体に積層させて施工する断熱ブロック１において、
前記断熱ブロック１は発泡合成樹脂からなり、積層時に隙間が発生しないようにその上面に結合突起１１が形成され、その下面に前記結合突起１１と対応する結合溝１２が形成され、
前記断熱ブロック１の一側面下部の一部を’┐’状に切断し、前記切断された部材の上部に円形の嵌合溝１６が形成され、
前記断熱ブロック１の前面及び背面に、断熱ブロック１の収容部２の終端で２段に折り曲げられて形成される２段溝部３がそれぞれ形成され、前記２段溝部３で内側方向に位置した内側溝部３１には、石膏ボード、岩綿、ガラス綿マットのうち一つで構成される耐熱板材４が挿入され、前記２段溝部３の外側方向に位置し、かつ一側に充填溝３２１が形成された外側溝部３２には、石材、鋼繊維補強コンクリート、ドライビット、ＰＶＣ、金属のうち一つで構成される仕上げ板材５が挿入されることを特徴とする建築用軽量断熱ブロック。
【請求項１５】
前記充填溝３２１には無機質接着剤が充填されることを特徴とする請求項１１ないし１４のうちいずれか１項に記載の建築用軽量断熱ブロック。
【請求項１６】
建築物の基礎底面に垂直方向に複数の形鋼を設ける基礎施工ステップと、
前記形鋼の間に発泡スチロール材質からなる複数の断熱ブロックを積層させるステップと、
前記積層された断熱ブロックの内外側面に仕上げ材を施工するステップと、
前記断熱ブロックの外側面に施工された仕上げ材の表面に、所望の色相のペイントを塗るステップと、を含むことを特徴とする建築用軽量断熱ブロックの施工方法。
【発明の詳細な説明】
【技術分野】
【０００１】
本発明は、建築用軽量断熱ブロック及びその施工方法に係り、より詳細には、軽量の発泡合成樹脂からなるブロック本体に仕上げ材を具備させて建築物の内外壁を仕上げることによって、資材コストを低減させるだけではなくブロック施工工程を単純化し、既存の住宅よりエネルギー消費を８０〜９０％低減させることができる建築用軽量断熱ブロック及びその施工方法に関する。
【背景技術】
【０００２】
一般的に壁体施工に利用されるブロックは、砂、セメント及び添加剤を一定の割合で配合した後、一定の型に入れてから取り出し、かつ硬化させて製造することによって、建築用に主に利用され、仕切り工事などの簡易工事にも多く使われている。これらのブロックは、モルタルを用いて隣接するブロックを接合させつつ積み上げて所望の壁体を施工した。
【０００３】
これと関連して、韓国公開実用新案第１９９２−１５２０６号公報と韓国登録実用新案第３４６６５０号公報などでセメントブロックと赤煉瓦などが知られているが、前記ブロックは、建築物の内外部壁体に積層させて施工する時、外部壁体には別途の断熱材を中空壁として設置せねばならず、内外側で仕上げ工程を行う特徴を持っている。
【発明の概要】
【発明が解決しようとする課題】
【０００４】
前記のような従来の技術は、施工性が低下し、内部の仕切り工事も積層後に仕上げ工程が伴われねばならないという問題点がある。また、ブロックは材質全体がセメントモルタルで形成されているため、ブロックの製造コストが高いだけではなく、複数層建物の場合、壁面施工時にブロック自重によって建築物の耐久性を低下させる問題点と、これに対応するために骨組の構造を補強せねばならないという短所がある。
【課題を解決するための手段】
【０００５】
前記課題を解決するために本発明は、建築物の内外部壁体に積層させて施工する断熱ブロックにおいて、前記断熱ブロックは発泡合成樹脂からなり、積層時に隙間が発生しないようにその上面に結合突起が形成され、その下面に前記結合突起と対応する結合溝が形成され、前面及び背面に突出部と凹溝部とが形成される建築用軽量断熱ブロックを提供する。
【発明の効果】
【０００６】
本発明による建築物用軽量断熱ブロック及びその施工方法は、発泡合成樹脂からなるブロックに仕上げ材を備えて建築物の内外壁を仕上げることによって、資材コストを低減させるだけではなく、ブロック施工工程を単純化して既存住宅よりエネルギー消費を８０〜９０％低減させることができる効果があり、断熱性に優れて結露防止と冷暖房効率を増大させ、かつ軽くて荷重によって建築物の耐久性が低下しない効果がある。
【図面の簡単な説明】
【０００７】
【図１】本発明による第１実施形態の建築用軽量断熱ブロックを示した斜視図である。
【図２】本発明による第１実施形態の建築用軽量断熱ブロックの他の一例を示した斜視図である。
【図３】図２による建築用軽量断熱ブロックの右側面図である。
【図４】本発明による第１実施形態の建築用軽量断熱ブロックのさらに他の一例を示した斜視図である。
【図５】本発明による第１実施形態の建築用軽量断熱ブロックのさらに他の一例を示した斜視図である。
【図６】図５による建築用軽量断熱ブロックの左側面図である。
【図７】図１による建築用軽量断熱ブロックのいろいろな一例を示した正面図、側面図、平面図である。
【図８】本発明による第２実施形態の建築用軽量断熱ブロックを示した斜視図である。
【図９】図８のＡ−Ａ線の断面図である。
【図１０】本発明による第２実施形態の建築用軽量断熱ブロックを示した分離斜視図である。
【図１１】本発明による第２実施形態の建築用軽量断熱ブロックを示した使用状態図である。
【図１２】本発明による第３実施形態の建築用軽量断熱ブロックを示した斜視図である。
【図１３】本発明による第３実施形態の建築用軽量断熱ブロックを示した側面図である。
【図１４】本発明による第３実施形態の建築用軽量断熱ブロックを示した分離斜視図である。
【図１５】本発明による第４実施形態の建築用軽量断熱ブロックを示した斜視図である。
【図１６】図１５のＢ−Ｂ線の断面図である。
【図１７】本発明による第４実施形態の建築用軽量断熱ブロックを示した分離斜視図である。
【図１８】本発明による第５実施形態の建築用軽量断熱ブロックを示した斜視図である。
【図１９】本発明による第５実施形態の建築用軽量断熱ブロックを示した側面図である。
【図２０】本発明による第５実施形態の建築用軽量断熱ブロックを示した分離斜視図である。
【図２１】本発明による建築用軽量断熱ブロックの施工方法を示す図面である。
【発明を実施するための最良の形態】
【０００８】
以下、本発明の実施形態を図面を参照して説明すれば、次の通りである。
図１は、本発明による第１実施形態の建築用軽量断熱ブロックを示した斜視図であり、図２は、本発明による第１実施形態の建築用軽量断熱ブロックの他の一例を示した斜視図であり、図３は、図２による建築用軽量断熱ブロックの右側面図であり、図４は、本発明による第１実施形態の建築用軽量断熱ブロックのさらに他の一例を示した斜視図であり、図５は、本発明による第１実施形態の建築用軽量断熱ブロックのさらに他の一例を示した斜視図であり、図６は、図５による建築用軽量断熱ブロックの左側面図であり、図７は、図１による建築用軽量断熱ブロックのいろいろな一例を示した正面図、側面図及び平面図である。
【０００９】
図１ないし図７に示したように、本発明は建築物の内外部壁体に積層させて施工する断熱ブロックにおいて、前記断熱ブロック１は発泡合成樹脂からなり、積層時に隙間による熱橋現象と透湿が発生しないように、その上面に結合突起１１が形成されると共に、その下面に前記結合突起１１と対応する結合溝１２が形成され、前面及び背面に突出部１３と凹溝部１４とが形成されることである。
【００１０】
また、前記断熱ブロック１の一側には、前記断熱ブロック１と同じ形状で形成されるが、一側面上部の一部を’Ｌ’状に切断し、前記切断された部材の上部に円形の嵌合突起１５が形成された補助ブロック６を互いに連結させることを特徴とする。
また、前記断熱ブロック１の中央上部に切断溝部１７を形成し、前記切断された部材の上部に円形の嵌合突起１５が形成されることを特徴とする。
【００１１】
また、前記嵌合突起１５が形成された断熱ブロック１には、その上面に一端が折り曲げられて延びる結合突起１１が形成され、その下面に結合溝１２が形成され、前面及び背面に突出部１３と凹溝部１４とが形成され、下部の一部を’┐’状に切断し、前記切断された部材の上部に円形の嵌合溝１６が形成された交差ブロック７を長手方向または直角に互いに連結させることを特徴とする。
【００１２】
また、前記ブロックは、底面の下部一側に垂直方向に垂直結合溝１８を形成して、ブロックの結合突起１１が垂直に挟まれて結合されることを特徴とする。
【００１３】
また、前記ブロックの前面及び背面に形成された突出部１３は、外側へ行くほど広くなってその両側面に充填空間が形成されるように、クサビ状に形成されたことを特徴とする。
【００１４】
また、前記ブロックの前面及び背面に形成された突出部１３及び凹溝部１４が格子状に形成されたことを特徴とする。
【００１５】
また、前記ブロックは、その前面または背面を区切り、かつ分割する複数の凹溝部１４が形成されて、前記仕上げ材がその凹溝部に充填されつつ前面または背面に支持、固定されるようにすることを特徴とする。
【００１６】
また、前記断熱ブロック１の結合突起１１の上部で長手方向に、堅い結合のために接着剤が充填される接着剤充填溝１１１が形成されたことを特徴とする。
【００１７】
また、前記断熱ブロック１の内部に、結合力を高め、かつ組積壁体の縦横方向の耐力補強のために、ワイヤーメッシュ（図示せず）を挿入成形して形成することを特徴とする。
【００１８】
また、前記断熱ブロック１の前面板及び背面板の角に横方向に充填溝１９が形成される。
【００１９】
前記断熱ブロック１の各角には長手方向に充填溝が形成されて、その充填溝に充填材を充填することによって、積層されたそれぞれの断熱ブロックを相互固定させることを特徴とする。
【００２０】
また、前記充填材は、接着剤、セメント、石膏、鉄材及びプラスチックと木材締結具のうちいずれか一つが使われることを特徴とする。
【００２１】
また、前記各断熱ブロック１の結合突起１１の上部両側端に締結金具で締結することができるように、締結溝１１２が形成されたことを特徴とする。
【００２２】
また、ブロックの前面及び背面の表面には仕上げ材を形成させることができ、前記仕上げ材は、セメント、石膏、鉄材パネル、壁紙、黄土、石粉が混合されたセメントのうちいずれか一つが使われ、多様な色相が添加されて使われることを特徴とする。
【００２３】
図面に図示された線の厚さや構成要素の大きさは、説明の明瞭性と便宜のために誇張して図示されていることもある。また、後述する用語は、本発明での機能を考慮して定義された用語であって、これはユーザー、運営者の意図または慣例によって変わることもある。したがって、これらの用語についての定義は、本明細書全般の内容に基づいて下されねばならない。
【００２４】
また、下記の実施形態は本発明の権利範囲を限定するものではなく、単に例示で提示するものであり、本技術思想を通じて具現される多様な実施形態がありえる。
【００２５】
図１に示したように本発明は、建築物の内外部壁体に積層させて施工する断熱ブロックにおいて、前記断熱ブロック１は発泡合成樹脂からなり、積層時に隙間が発生しないようにその上面に結合突起１１が形成されると共に、その下面に前記結合突起１１と対応する結合溝１２が形成され、前面及び背面に突出部１３と凹溝部１４とが形成される。
【００２６】
この時、前記断熱ブロック１の結合突起１１は一字型に形成されて、前記結合突起１１に対応する結合溝１２により結合されて積層されると示されているが、これに限定されるものではなく、前記結合突起１１と結合溝１２とを三角、四角、半円型などの多様な形状に形成させることもできる。
【００２７】
前記断熱ブロック１は、その上部面に結合突起１１が形成され、その下部面には前記結合突起１１と対応する結合溝１２を形成させて、前記断熱ブロック１を垂直方向に連結させる。
【００２８】
また、前記断熱ブロック１は、発泡合成樹脂、すなわち、発泡ポリスチレンからなっていて、資材コストを低減させるだけではなくリサイクルもできる。
【００２９】
図２に示したように、補助ブロック６は、図１での断熱ブロック１のように発泡合成樹脂からなり、積層時に隙間が発生しないようにその上面に結合突起１１が形成されると共に、その下面に前記結合突起１１と対応する結合溝１２が形成され、前面及び背面に突出部１３と凹溝部１４とが形成される。
【００３０】
図５に示したように、交差ブロック７は、その上面に一側端が’┐’形状に垂直折り曲げられるように形成される結合突起１１が形成され、その下面に結合溝１２が形成され、前面及び背面に突出部１３と凹溝部１４とが形成される。
【００３１】
また、下部の一部を’┐’形状に切断し、前記切断された部材の上部に円形の嵌合溝１６が形成されることである。
【００３２】
したがって、図２に示したように’Ｌ’形状の切断部が形成された補助ブロック６と、図４での中央上部に切断溝部１７が形成された断熱ブロック１とは、図５及び図６に形成された嵌合溝１６が形成された交差ブロック７と結合して、’Ｔ’形状のブロック結合体または’＋’形状のブロック結合体などのように多様な形状に結合できる。
【００３３】
また前記交差ブロック７の嵌合溝１６がある一側面をラウンド処理して、嵌合溝１６を嵌合突起１５と結合して回転させて結合角度の調節ができるように成形、製作して、断熱ブロック１を連結して使用することもできる。
【００３４】
図７に示したように、前記断熱ブロック１には前面または背面を区切り、かつ分割する複数の凹溝部１４が形成されて、仕上げ材をその凹溝部１４に充填しつつ前面または背面に支持、固定させる。これは、後述する前記仕上げ材（図示せず）として用いられるセメントモルタルなどを前記断熱ブロック１に塗布し、かつ硬化させる過程で、前記セメントモルタルが前記断熱ブロック１の前面または背面から流れることを防止し、硬化後に仕上げ材が剥離されることを防止するためのものであり、セメントモルタルは、前記複数の凹溝部１４に充填されつつ、塗布されたセメントモルタルを支持しつつ堅く固定させる。
【００３５】
そして、前記断熱ブロック１の各角には長手方向に充填溝１９が形成されることによって、積層されたそれぞれの断熱ブロック１が相互固定されるようにそのブロックの充填溝１９に充填材を充填することによって、積層されたそれぞれのブロックが上、下方向はもちろん長手方向でも相互固定される。
【００３６】
一方、前記仕上げ材は、前述したようにセメントモルタルを使用して前記断熱ブロック１の前面または背面に固定させることができ、セメントモルタルを硬化して形成させたセメントパネルが使われ、石膏、鉄材パネル、壁紙、黄土、石粉が混合されたセメントなどに多様な色相を加えて前記断熱ブロック１の前面または背面に固定させることができる。
【００３７】
また、前記仕上げ材は、前述したセメントモルタル、石膏、鉄材パネル、壁紙、黄土、石粉が混合されたセメントに限定されるものではなく、前記断熱ブロック１の前面または背面に取り付けられてその断熱ブロック１を保護し、かつ同時に審美感を創出できるものならば、いずれを使用してもよい。
【００３８】
そして、前記充填材は、セメントモルタルや接着剤、木材、合成樹脂材、鉄材またはプラスチック締結具、石膏などが使われ、前記挙げた充填材に図案や色を加えて審美感を創出させることが望ましい。
【００３９】
本発明による建築用軽量断熱ブロックの設置過程を説明すれば、まず建築物の内外壁面を仕上げるために、その内外壁面の隣接した位置やその壁面と接するように断熱ブロック１を紙面に固定させた後、前記断熱ブロック１の上面に備えられた結合突起１１に他の断熱ブロック１の下面に備えられた結合溝１２を嵌合し、順次に断熱ブロック１を上向きかつ長手方向に積層させた後、充填材を前記充填溝１９に充填させて接着剤で固定させることによって、積層されたそれぞれの断熱ブロック１を上下方向と長手方向とに相互固定させる。
【００４０】
また、ブロック結合部には、’┐’形状のブロック結合体、’Ｔ’形状のブロック結合体または’＋’形状のブロック結合体などのように多様な形状で結合させ、所定の結合角度を必要とする場合には、前記断熱ブロック１の嵌合溝がある一側面をラウンド処理して、嵌合溝１６と嵌合突起１５との結合角度を調節して組積する。
【００４１】
図８は、本発明による第２実施形態の建築用軽量断熱ブロックを示した斜視図であり、図９は、図８のＡ−Ａ線の断面図であり、図１０は、本発明による第２実施形態の建築用軽量断熱ブロックを示した分離斜視図であり、図１１は、本発明による第２実施形態の建築用軽量断熱ブロックを示した使用状態図である。
【００４２】
図８ないし図１１に示したように、本発明による建築用軽量断熱ブロックは、建築物の内外部壁体に積層させて施工するものであって、複数の積層時に隙間が発生しないようにその上面に結合突起１１が形成され、その下面に前記結合突起１１と対応する結合溝１２が形成される断熱ブロック１において、前記断熱ブロック１の前面及び背面に、断熱ブロック１の収容部２の終端で２段に折り曲げられて形成される２段溝部３がそれぞれ形成され、前記２段溝部３で内側方向に位置した内側溝部３１には、石膏ボード、岩綿、ガラス綿マットのうち一つで構成される耐熱板材４が挿入され、前記２段溝部３の外側方向に位置してその一側に充填溝３２１が形成された外側溝部３２には、石材、鋼繊維補強コンクリート、ドライビット、ＰＶＣ、金属のうち一つで構成される仕上げ板材５が挿入される。
【００４３】
本発明による断熱ブロック１は、軽量の発泡合成樹脂である発泡ポリスチレンからなって建築物の内外壁を仕上げ、資材コストを低減させ、かつ作業工程が単純で施工時間を短縮させることができる。
【００４４】
前記断熱ブロック１に形成された２段溝部３で内側溝部３１の長さは、外側溝部３２の長さより長く形成されることが望ましい。
【００４５】
前記内側溝部３１に挿入される耐熱板材４は軽量の耐熱材であって、防水、防音、保温効果に優れている。一方、前記石膏ボード、岩綿、ガラス綿マットなどは既に周知のものであって、本発明では、これについての具体的な特性についての説明は省略する。
【００４６】
一方、前記仕上げ板材の種類で一般的に使われているＰＶＣ、金属を除外した残りの石材、鋼繊維補強コンクリート、ドライビットに対するそれぞれの特性について簡略に説明すれば、次の通りである。
【００４７】
まず、比較的に高級資材と知られている石材は、高価の製品であるため、外壁材として使用するには多少負担のある資材ともいえるが、外壁があたえる堅い耐久性、加工されていない感じの不規則な質感のため、芸術的な装飾要素としても多く使われる。石材は外壁全体に施工することもあるが、施工コスト低減及び個性的演出のための代案として、他の資材と混合して部分的に施工できる。
【００４８】
そして、鋼繊維補強コンクリートは、伝統的な形態の鉄筋の代りに単相の鋼繊維を不規則的に配列してコンクリート中に分散させて、クラックを防止して耐久性を高めたものをいう。このパネルは、鋼繊維を混合して耐久性を高めたため、雨、風、熱にも収縮変形なく、比例強度と圧縮強度に優れている。
【００４９】
また、ドライビットは、純度１００％のアクリル樹脂と化学物質及び特殊硅砂の合成で製造し、耐久性が良くて変色のない多様な質感の仕上げ材である。ドライビットで外壁を仕上げれば、付随的な断熱及び防水施工が必要なく、壁体を軽量化することによって構造コストが低減する。また質感及び色相が多様であり、かつ結露防止及び常温常湿効果があって、亀裂を防止して防水及び耐久性を極大化させる長所を持っている。
【００５０】
本発明の耐熱板材と仕上げ板材は、施工しようとする建築物の構造とハーモニーをなすように、これに相応する性能を持つ板材を選択することが望ましい。
【００５１】
以下、本発明による第２実施形態の建築用軽量断熱ブロックの組立て過程を説明すれば、次の通りである。
【００５２】
まず、断熱ブロック１の２段溝部３で、その内側に位置した内側溝部３１に耐熱板材４を挿入する。耐熱板材４を挿入した後、外側溝部３２に仕上げ板材５を挿入する。
【００５３】
そして、仕上げ板材５の一側に形成された充填溝３２１に無機質接着剤を充填させることによって、断熱ブロック１に仕上げ板材５を堅く固定させることである。このように、断熱ブロック１の前面及び背面に耐熱板材４と仕上げ板材５とを順次固定させた複数の断熱ブロック１が備えられれば、基礎断熱ブロック１の結合突起１１に他の断熱ブロック１の結合溝１２を位置させて、複数の断熱ブロック１を積層する。
【００５４】
一方、本発明による第３ないし第５実施形態の建築用軽量断熱ブロックを説明する前に、後述する第３ないし第５実施形態の建築用軽量断熱ブロックは、耐熱板材、仕上げ板材の特性とブロックの組立て過程において、前述した第２実施形態の建築用軽量断熱ブロックと同一であるので、これについての具体的な説明は省略する。
【００５５】
図１２は、本発明による第３実施形態の建築用軽量断熱ブロックを示した斜視図であり、図１３は、本発明による第３実施形態の建築用軽量断熱ブロックを示した側面図であり、図１４は、本発明による第３実施形態の建築用軽量断熱ブロックを示した分離斜視図である。
【００５６】
図１２ないし図１４に示したように、本発明による建築用軽量断熱ブロックは、建築物の内外部壁体に積層させて施工する断熱ブロック１において、前記断熱ブロック１は発泡合成樹脂からなり、積層時に隙間が発生しないように、その上面に結合突起１１が形成され、その下面に前記結合突起１１と対応する結合溝１２が形成され；一側面上部の一部を’Ｌ’状に切断し、前記切断された部材の上部に円形の嵌合突起１５が形成され；前記断熱ブロック１の前面及び背面に、断熱ブロック１の収容部２の終端で２段に折り曲げられて形成される２段溝部３がそれぞれ形成され、前記２段溝部３でその内側方向に位置した内側溝部３１には、石膏ボード、岩綿、ガラス綿マットのうち一つで構成される耐熱板材４が挿入され、前記２段溝部３の外側方向に位置し、その一側に充填溝３２１が形成された外側溝部３２には、石材、鋼繊維補強コンクリート、ドライビット、ＰＶＣ、金属のうち一つで構成される仕上げ板材５が挿入されるものである。
【００５７】
また、前記断熱ブロック１の底面の下部一側に垂直方向に垂直結合溝１８を形成して、前記断熱ブロックの結合突起１１が挟まれて結合されるものである。
【００５８】
図１５は、本発明による第４実施形態の建築用軽量断熱ブロックを示した斜視図であり、図１６は、図１５のＢ−Ｂ線の断面図であり、図１７は、本発明による第４実施形態の建築用軽量断熱ブロックを示した分離斜視図である。
【００５９】
図１５ないし図１７に示したように、本発明による建築用軽量断熱ブロックは、建築物の内外部壁体に積層させて施工する断熱ブロック１において、前記断熱ブロック１は発泡合成樹脂からなり、積層時に隙間が発生しないように、その上面に結合突起１１が形成され、その下面に前記結合突起１１と対応する結合溝１２が形成され；前記断熱ブロック１の中央上部に切断溝部１７を形成し、前記切断された部材の上部に円形の嵌合突起２が形成され；前記断熱ブロック１の前面及び背面に、断熱ブロック１の収容部２の終端で２段に折り曲げられて形成される２段溝部３がそれぞれ形成され、前記２段溝部３で内側方向に位置した内側溝部３１には、石膏ボード、岩綿、ガラス綿マットのうち一つで構成される耐熱板材４が挿入され、前記２段溝部３の外側方向に位置し、その一側に充填溝３２１が形成された外側溝部３２には、石材、鋼繊維補強コンクリート、ドライビット、ＰＶＣ、金属のうち一つで構成される仕上げ板材５が挿入されるものである。
【００６０】
また、前記断熱ブロック１の底面の下部一側に垂直方向に垂直結合溝１８を形成して、前記断熱ブロックの結合突起１１が嵌合されて結合されることである。
【００６１】
図１８は、本発明による第５実施形態の建築用軽量断熱ブロックを示した斜視図であり、図１９は、本発明による第５実施形態の建築用軽量断熱ブロックを示した側面図であり、図２０は、本発明による第５実施形態の建築用軽量断熱ブロックを示した分離斜視図である。
【００６２】
図１８ないし図２０に示したように、本発明による建築用軽量断熱ブロックは、建築物の内外部壁体に積層させて施工する断熱ブロック１において、前記断熱ブロック１は発泡合成樹脂からなり、積層時に隙間が発生しないようにその上面に結合突起１１が形成され、その下面に前記結合突起１１と対応する結合溝１２が形成され；前記断熱ブロック１の一側面下部の一部を’┐’状に切断し、かつ前記切断された部材の上部に円形の嵌合溝１６が形成され；前記断熱ブロック１の前面及び背面に、断熱ブロック１の収容部２の終端で２段に折り曲げられて形成される２段溝部３がそれぞれ形成され、前記２段溝部３で内側方向に位置した内側溝部３１には、石膏ボード、岩綿、ガラス綿マットのうち一つで構成される耐熱板材４が挿入され、前記２段溝部３の外側方向に位置し、その一側に充填溝３２１が形成された外側溝部３２には、石材、鋼繊維補強コンクリート、ドライビット、ＰＶＣ、金属のうち一つで構成される仕上げ板材５が挿入されるものである。
【００６３】
一方、図２１は、本発明による建築用軽量断熱ブロックの施工方法を示す図面である。
【００６４】
図２１に示したように、建築用軽量断熱ブロックの施工方法は、建築物の基礎底面８に垂直方向に複数の形鋼９を設ける基礎施工ステップと、前記形鋼９ら間に発泡スチロール材質からなる複数の断熱ブロック１を積層させるステップと、前記積層された断熱ブロック１の内外側面に仕上げ材を施工するステップと、前記断熱ブロック１の外側面に施工された仕上げ材の表面に所望の色相のペイントを塗るステップと、を含むことを特徴とする。
【００６５】
まず、前記基礎施工ステップでは、建築物の基礎底面８に複数の形鋼９を垂直方向に設ける。前記基礎底面８は、一般的にコンクリートを利用して施工し、断熱ブロック１を均衡をあわせて積層できるように平坦に施工する。
【００６６】
前記形鋼９は、各種断面形状を持つ棒状の圧延材を示し、形鋼９のいろいろな種類のうちでも、特に建築物の構造物として主に使われるＨ形鋼を使用することが望ましい。
【００６７】
また、前記断熱ブロック１を積層させるステップでは、断熱ブロック１の結合を補強するために、下部に位置する断熱ブロック１の上面に接着剤を塗布させるステップをさらに含む。したがって、前記ステップを行うことによって、複数で積層される断熱ブロック１の流動を防止することはもとより、結合力を高める効果がある。
【００６８】
また、積層された断熱ブロック１の内外側面に仕上げ材を施工するステップでは、複数の断熱ブロック１の積層が完了すれば、外部の色々な影響から建築物を保護し、かつ建築物の外観を美しくするために断熱ブロック１の内外側面に仕上げ材を施工する。
【００６９】
前記仕上げ材は、セメント、石膏、壁紙、黄土、石粉が混合されたセメントのうち一つを使用する。
【００７０】
最後に、断熱ブロック１の外側面に施工された仕上げ材の表面に所望の色相のペイントを塗るステップでは、外部から見て人々に審美感を感じさせるように、部分塗りや絵などを描く作業を行う。
【符号の説明】
【００７１】
１  断熱ブロック
６  補助ブロック
７  交差ブロック
１１  結合突起
１２  結合溝
１３  突出部
１４  凹溝部
１５  嵌合突起
１６  嵌合溝
１７  切断溝部
１８  垂直結合溝
１１２  締結溝
【図１】
2010528203.tif 000003
【図２】
2010528203.tif 000004
【図３】
2010528203.tif 000005
【図４】
2010528203.tif 000006
【図５】
2010528203.tif 000007
【図６】
2010528203.tif 000008
【図７】
2010528203.tif 000009
【図８】
2010528203.tif 000010
【図９】
2010528203.tif 000011
【図１０】
2010528203.tif 000012
【図１１】
2010528203.tif 000013
【図１２】
2010528203.tif 000014
【図１３】
2010528203.tif 000015
【図１４】
2010528203.tif 000016
【図１５】
2010528203.tif 000017
【図１６】
2010528203.tif 000018
【図１７】
2010528203.tif 000019
【図１８】
2010528203.tif 000020
【図１９】
2010528203.tif 000021
【図２０】
2010528203.tif 000022
【図２１】
2010528203.tif 000023
【国際調査報告】
2010528203.tif 000024
2010528203.tif 000025
2010528203.tif 000026